(57)【特許請求の範囲】
【請求項１】
法面の傾斜方向に沿って、前面を階段状に形成した鉄筋コンクリート製の階段部材を、法面にその背面を載置した状態で複数基設置し、
前記階段部材の基礎部分を、地上に設置した底版コンクリートに連結して一体化し、
隣接した階段部材の間に栗石を投入し、
隣接した階段部材の表側間を金網で連結して前記栗石群を被覆したもたれ擁壁を構築する、
護岸工の構築方法。
【請求項２】
法面に、透水性の面部材を敷設し、法面の傾斜方向に沿って、前面を階段状に形成した鉄筋コンクリート製の階段部材を、法面にその背面を載置した状態で複数基設置し、
前記階段部材の基礎部分を、地上に設置した底版コンクリートに連結して一体化し、
隣接した階段部材の間に栗石を投入し、隣接した階段部材の表側間を金網で連結して前記栗石群を被覆したもたれ擁壁を構築する、
護岸工の構築方法。
【請求項３】
隣接する階段部材の間を鋼材で連結し、この鋼材によって金網を支持して構築する、請求項１、２記載の、護岸工の構築方法。
【発明の詳細な説明】
【０００１】
【発明の属する技術分野】
本発明は護岸工の構築方法に関するものである。
【０００２】
【従来の技術】
従来の護岸工として、金網の内部に栗石を投入した籠マット工や、ふとん籠工、蛇籠工がひろく利用されている。
【０００３】
【本発明が解決しようとする課題】
上記したような従来の護岸工は多くの利点を有するが、金網などの構成部材の一部が破損した場合に修復するには多大な手数が必要であり、不経済であるという問題があった。
【０００４】
【本発明の目的】
本発明は上記したような従来の問題を解決するためになされたもので、構成部材の一部が破損しても容易に修復することができる、護岸工の構築方法を提供することを目的とする。
【０００５】
【課題を解決する手段】
上記のような目的を達成するために本発明の護岸工の構築方法は、法面の傾斜方向に沿って、前面を階段状に形成した鉄筋コンクリート製の階段部材を、法面にその背面を載置した状態で複数基設置し、隣接した階段部材の間に栗石を投入し、隣接した階段部材の表側間を金網で連結して構築する、護岸工の構築方法を特徴とするものである。
【０００６】
さらに本発明の構成部材は、前面を階段状に形成し、その背面を法面の傾斜角度に近い角度で形成した、護岸工の構成部材を特徴としたものである。
【０００７】
【本発明の実施の態様】
以下、図面を参照しながら本発明の護岸工の構築方法と構成部材の実施例について説明する。
【０００８】
＜イ＞構成部材。
本発明の護岸工は、階段部材１と金網２とによって構成する。
階段部材１は鉄筋コンクリート製の部材であり、その前面を階段状に形成する。
そしてその背面は、設置する予定の法面の傾斜角度に近い角度に形成する。
階段部材１の幅は、図の実施例のように薄い板状に形成する場合もあるが、厚さの厚いブロック状に形成することもできる。
【０００９】
＜ロ＞階段部材１の製造。
この階段部材１は、工場において製造して現場に運搬して使用することも、あるいは現場に近接する位置に製造場所を設け、平面状に製造することもできる。
あるいは現場で型枠を組み立て、その内部にコンクリートを打設する方法を採用することもできる。
【００１０】
＜ハ＞透水性面部材３の敷設。
法面の傾斜面に沿って、透水性の面部材３を敷設する。
この面部材３は、水は透過するが、土の粒子は透過しない程度の隙間を持つ、市販の部材である。この面部材３を敷設することによって護岸対象の地盤の土粒子が吸引されて崩壊を生じることを防止することができる。
しかしこの面部材３の敷設は本発明の方法を実施する際に不可欠の用件ではなく、地盤の性質によっては面部材３を使用しないでも護岸工を行うことができる。
【００１１】
＜ニ＞基礎工。
護岸工の構築予定位置の地上面には、必要に応じて捨てコンクリートを打設する。さらにその上に鉄筋を組み立て、コンクリートを打設して底版コンクリート４を構築する。
【００１２】
＜ホ＞階段部材１の設置。
透水性面部材３を敷設した法面、あるいは敷設していない法面に、上記した階段部材１を設置する。設置に際しては法面に階段部材１の背面を寝かした状態で設置する。したがって、階段部材１の階段面が法面の外側に向けて露出することになる。
設置方向は、法面の傾斜方向と一致させ、適当な間隔を介して複数基、隣接して設置する。
【００１３】
＜ヘ＞底版との結合。
法面に設置する階段部材１は、その基礎部分を、地上に設置した底版コンクリート４に連結して一体化して構築する。
そのために、階段部材１には横断方向に貫通孔を開口し、この貫通孔に、底版コンクリート４の鉄筋を貫通させてコンクリートを打設するような工法を採用することができる。すなわち通常のコンクリート打設方法である。
【００１４】
＜ト＞金網２の敷設．
投入する予定の栗石６の高さに応じて、金網２を敷設しておく。
金網２の敷設は、隣接した階段部材１の表側間を金網２で連結して行う。
金網２の形状を維持するために、敷設前に隣接する階段部材１の間を鋼棒、鋼線などの鋼材５で連結し、この鋼材５によって金網２を支持する。
すると、金網２は、階段の形状とほぼ同一の状態の階段を形成することができる。
【００１５】
＜チ＞栗石６の投入。
前面に金網２を敷設した状態、その背面に栗石６を投入する。
このように前面に複数段の金網２を敷設してはその背面に栗石６を投入する作業を繰り返して最上部まで栗石６を充填する。
こうして順次、多数の階段部材１の間に栗石６を投入してあり、その前面を金網２で被覆した護岸工が完成する。
【００１６】
＜リ＞客土の充填。
金網２の内側に腐食性の繊維マットを敷設する場合もある。その場合には栗石６の投入後に、注入パイプを利用して泥状の客土を充填する。
この客土を利用して植物を植えて緑化を図ることができる。
【００１７】
＜ヌ＞陸上における施工。
以上は護岸について説明したが、上記の構築方法は陸上の一般の擁壁の構築に際しても利用することもできる。
【００１８】
【本発明の効果】
本発明は以上説明したようになるから、次のような効果を達成することができる。
＜イ＞本発明の構成であれば、耐用年数が経過した金網を簡単に交換することができ、護岸工の寿命を半永久的に延長することができる。
＜ロ＞主要部が鉄筋コンクリート構造であるために、剛性、耐久性に優れており、維持の費も安価である。
＜ハ＞ブロック積み、石積み、多段籠マットは経験によって控え厚さや裏込め厚さを決めている。しかし本発明の方法はもたれ擁壁として安定計算を行うことができるから信頼性が高い。
＜ニ＞階段部材の間には栗石が充填してあるから透水構造である。そのために水が容易に排水されるから残留水位差による転倒や滑動の発生の危険性がない。
＜ホ＞水衡部や水裏部の状況に応じて、コンクリート製の階段部材の配置、間隔を調整することができる。
＜へ＞前面が階段状になっているために、金網の一部が破損しても栗石が吸い出されることによる崩壊が生じにくい。
＜ト＞万一、栗石６の崩壊が生じても、階段部材まで崩壊する大規模な破堤には至らない。
＜チ＞栗石の形状、寸法を変えることによって、多様な多孔質空間を創出することができる。
＜リ＞前面が階段状になっているために、急勾配であっても哺乳類、爬虫類、両生類の昇降が容易である。
＜ヌ＞透水性に富んでいるために、湧水の多い陸上における一般の擁壁としての利用価値も高い。
＜ル＞柔軟な擁壁構造であるから、地すべりの抑制擁壁としても有効である。
【図面の簡単な説明】
【図１】本発明の護岸工の構築方法の実施例の説明図。
【図２】その断面図。
【図３】一部の説明図。
【図１】
0003619956.tif 000002
【図２】
0003619956.tif 000003
【図３】
0003619956.tif 000004